(57)【要約】【課題】近赤外線領域に異なる透過、吸収特性を持つ黒色インキを用いて、情報記録媒体１枚毎の情報読み取りをミクロ的に行うと同時に複数枚の情報記録媒体の情報を同時に読み取る事が可能となる情報記録媒体を提供することを課題とする。【解決手段】赤外線反射性基材上に、黒色ドットにより構成されるドットコードからなるドットコード層が形成されてなり、該ドットコード層が背景部とドットコードの集合体からなる二次元コード部を有し、該背景部を構成するドットと二次元コード部を構成するドットの赤外線吸収特性が異なることを特徴とする情報記録媒体により課題を解決することができる。【選択図】図２
2010181931.tif 000002
【特許請求の範囲】
【請求項１】
赤外線反射性基材上に、黒色ドットにより構成されるドットコードからなるドットコード層が形成されてなり、該ドットコード層が背景部とドットコードの集合体からなる二次元コード部を有し、該背景部を構成するドットと二次元コード部を構成するドットの赤外線吸収特性が異なることを特徴とする情報記録媒体。
【請求項２】
前記赤外線反射性基材とドットコード層の間に絵柄層を有することを特徴とする請求項１記載の情報記録媒体。
【請求項３】
前記絵柄層が黒色インキを用いて形成されてなり、赤外域における前記黒色ドットの吸収率が該黒色インキの吸収率より高いことを特徴とする請求項１または請求項２に記載の情報記録媒体。
【発明の詳細な説明】
【技術分野】
【０００１】
本発明は、赤外線により読み取り可能な情報印刷物に係わり、特に情報印刷物の多重記録による新たな情報読み取り方式に関する。
【背景技術】
【０００２】
機械読み取り方式の情報記録媒体として従来より、磁気記録方式、ＩＣチップによる記録方式、ＯＣＲ方式、バーコード方式等があり、用途に応じて適宜使用されている。
【０００３】
磁気記録方式は、磁性体を媒体の全面もしくは一部に設け、ＭＲセンサー（Magnetic Read Sensor）にて磁気情報を読み取る。この場合、磁気情報は目視ではわからず秘匿性は守られるが、磁気記録方式はＭＲセンサーを接触させて情報を読み取るため、ＭＲセンサーの劣化およびゴミ付きによる読み取り不良を起こす可能性があり、且つ、読み取るためにはＭＲセンサー自身もしくは媒体を一定速度で移動させる必要がある。
【０００４】
ＩＣチップによる記録方式において、特に無線による読み取りが可能なＲＦ−ＩＤ方式のＩＣチップによる記録方式は、Ｒ／Ｗに接触させる必要が無く且つ情報の秘匿性が守られる利点はあるが、ＩＣチップの価格が比較的高価な事より安価な情報記録媒体を必要とするアプリケーションには向かない。
【０００５】
ＯＣＲ方式は、文字情報、特に数字情報を画像認識して読み取る方式で、非接触読取が可能で安価ではあるが、情報が数字で表されているため秘匿性がないという問題がある。
【０００６】
バーコード方式は、バーの太さ、バーとバーの間隔、等を画像認識して読み取る方式で、非接触読取が可能で安価であり、情報に関してある程度の秘匿性はあるが、複写機によるコピーに対して弱く、第三者が容易に複製できるという問題がある。
【０００７】
そのため、バーコードもしくは２次元コードを不可視化する方法が種々検討されている。例えばコード自身を可視光域では見えにくいが、近赤外線域では吸収があり赤外線を読み取ることが可能なカメラにてコードが読みとれる方式がある。この方式の場合、複写機によるコピーに対して強く、また秘匿性が守られることより、例えばトレーディングカードゲームのような用途での使用が期待される。
【０００８】
しかしながら赤外線吸収インキはインキの価格が高価であるため、安価なトレーディングカードゲームに使用するには、コスト面で難がある。このことより、プロセスカラーの墨インキを使用して、カラー印刷の網点のごとく小さいドットにて２次元コードを形成することで、安価で、非接触読み取りで、秘匿性の高い情報記録媒体の提供が可能となる。
【０００９】
しかしながら、上記方式は情報記録媒体１枚毎の読み取りには適しているが、複数枚の読み取りには適していない。これを解決する方法としては、複数のカメラを使用する方法が考えられるが、ハード面での費用がかさむ問題点がある。
【先行技術文献】
【特許文献】
【００１０】
【特許文献１】特開２００６−３３８６９０号公報
【発明の概要】
【発明が解決しようとする課題】
【００１１】
本発明は、上記の問題点に着目してなされたものであり、近赤外線領域に異なる透過、吸収特性を持つ黒色インキを用いて、情報記録媒体１枚毎の情報読み取りをミクロ的に行うと同時にマクロ的に複数枚の情報記録媒体の情報を同時に読み取る事が可能となる情報記録媒体を提供するものである。
【課題を解決するための手段】
【００１２】
上記の課題を解決するための手段として請求項１に記載の発明は、赤外線反射性基材上に、黒色ドットにより構成されるドットコードからなるドットコード層が形成されてなり、該ドットコード層が背景部とドットコードの集合体からなる二次元コード部を有し、該背景部を構成するドットと二次元コード部を構成するドットの赤外線吸収特性が異なることを特徴とする情報記録媒体である。
【００１３】
また、請求項２に記載の発明は、前記赤外線反射性基材とドットコード層の間に絵柄層を有することを特徴とする請求項１記載の情報記録媒体である。
【００１４】
また、請求項３に記載の発明は、前記絵柄層が黒色インキを用いて形成されてなり、赤外域における前記黒色ドットの吸収率が該黒色インキの吸収率より高いことを特徴とする請求項１または請求項２に記載の情報記録媒体である。
【発明の効果】
【００１５】
本発明の情報記録媒体は、印刷網点の形状を成しているドットコードをミクロ的に見た場合の情報と前記ドットコードより構成されている２次元コードをマクロ的に見た場合の情報の２種類の情報が１つの情報記録媒体に記録されていることを特徴としており、ミクロ的に見る場合は、簡単な読み取り装置にて読み取りが可能であり、マクロ的に見る場合は、複数の情報記録媒体を一度に読みとることができる。
【図面の簡単な説明】
【００１６】
【図１】本発明の情報記録媒体の一実施例を示す平面図。
【図２】図１の情報記録媒体のＸ−Ｘ線における断面図。
【図３】ドットコードおよび２次元コードの配列を示した平面図。
【図４】ドットコードの構成を示した概略図。
【図５】２次元コードの構成を示した概略図。
【図６】図１の情報記録媒体のドットコードを見る場合の概略図。
【図７】図１の情報記録媒体の２次元コードを見る場合の概略図。
【図８】複数枚の情報記録媒体の２次元コードを見る場合の概略図。
【図９】黒インキの分光特性を示すグラフ。
【図１０】黒インキの分光特性と読み取り装置の読み取り波長の関係図
【発明を実施するための形態】
【００１７】
本発明の情報記録媒体は、情報記録媒体上の一部または全部に黒色ドットから構成される２次元コードを設け、このドットコードがある大きさのブロック毎に情報としての読み取りが可能で、且つ前記情報がブロック毎に繰り返し設けられていることより、情報記録媒体上の任意の点をカメラでとらえる事より、ドットコードの情報が得られる。また、前記情報記録媒体上のドットコードは、一部を近赤外線領域全域に対して吸収がある黒インキで設けられており、それ以外はある近赤外線領域より長波長では透過する性質の黒インキで設けられていて、且つ前記近赤外線領域全域に対して吸収がある黒インキで設けられたドットコードは、ドットの集合体にて別な２次元コードを成しており、その２次元コードの逆パターンにて前記ある近赤外線領域以上の波長では透過する性質の黒インキでドットコードを形成されている。これにより、本発明の情報記録媒体の全体をある近赤外線領域以下の波長をカットするフィルターを通してＣＣＤカメラで見たときに、ドットコード
とは異なる２次元コードが読み取れる。
【００１８】
前記情報記録媒体に絵柄が入っている場合も同様の読み取りが可能であり、この場合、絵柄を構成するイエロー、シアン、マゼンタのプロセスカラー３色における近赤外線領域に影響の無い波長領域でドットコードを読み取る必要がある。
以下、図面を用いて本発明の実施の形態を詳細に説明する。
【００１９】
図１は本発明の情報記録媒体の一実施例を示す平面図で、図２は図１の情報記録媒体のＸ−Ｘ線における断面図である。また、図３は情報記録媒体中に設けたドットコードおよび２次元コードの配列を示した平面図で、図４はドットコードの構成を示した概略図で、図５は２次元コードの構成を示した概略図である。さらに図６は図１の情報記録媒体のドットコードを見る場合の概略図であり、図７は図１の情報記録媒体の２次元コードを見る場合の概略図である。図８は複数枚の情報記録媒体の２次元コードを見る場合の概略図である。図９は情報記録媒体中に使用されている黒インキの分光特性を示すグラフであり、図１０は黒インキの分光特性とドットコードおよび２次元コードをそれぞれ読み取る場合の読み取り装置の読み取り波長の関係図である。
【００２０】
図１は本発明の情報記録媒体１の一実施例の目視状態での見え方を示したもので、請求項２に相当する構成である。情報記録媒体１は、絵柄１２および２次元コードを形成するドットコード１３とドットコード１４が目視で見えており、目視では２次元コードを形成するドットコード１３とドットコード１４は区別がつかず、さらにドットコード１３とドットコード１４は絵柄１２の印刷網点の線数と同等もしくはそれよりやや粗い網点構成で情報記録媒体１の全面に設けられているため、目視では絵柄１２のみが見えている形となる。
【００２１】
図２は図１の情報記録媒体１のＸ−Ｘ線における断面図を示したもので、赤外線反射性基材１１の上に絵柄１２が印刷されており、さらにその上にドットコード１３およびドットコード１４が印刷されている。この絵柄１２とドットコード１３、ドットコードｌ４は逆の層構成でも構わない。
【００２２】
図３は図１の情報記録媒体１を近赤外線領域のある波長にて見た場合の見え方で、ＣＣＤカメラにて撮影した画像をモニター２の画面を通して見た画像である。前記イエロー、マゼンタ、シアンのプロセス３色から構成される絵柄１２は近赤外線領域の約７５０ｎｍ以上では見えないため、ドットコード１３、ドットコード１４のみが見える。
【００２３】
図４はドットコード１３、ドットコード１４の構成を示した概略図である。ドットコードは、カラー印刷で一般的に用いている網点を利用して、通常の印刷網点は縦方向および横方向に規則正しいドットの配列なのに対して、ドットの配列をある意味を持たせた形にすることで、データとしての機能を付与したものである。単体のドットコード１５はドットコードの配列の一例であるが、規則正しい配列の通常の網点に対して単体のドットコード１５は不規則配列となっている。この単体のドットコード１５を１データとして、この配列の繰り返しを縦方向、横方向に並べて複合体のドットコード１６を形成する。これにより、印刷汚れ等である部分のドットコードが読み取りできなくても、他の部分のドットコードが補ってデータを読み取ることが可能となる。
【００２４】
ドットコード１３、ドットコード１４のドットは、通常のオフセット印刷でカラー表示する場合の網点と同じ線数である、７５０線から１２０線が適当であり（線数とは１インチあたりの網点の列数）、特に一般的には１７５線を用いる場合が多い。またドットの大きさは、後述する２次元コードの読み取り易さを考慮すると大きい方が望ましいが、ドット形状が大きすぎると絵柄１２が暗くなってしまうことより、面積比にて１０％から３５
％の間が望ましい。
【００２５】
図５は本発明の情報記録媒体における２次元コードの構成を示した概略図であり、ドットコード１３の集合体によって２次元コード１８を形成する。図５は図１の情報記録媒体１を近赤外線領域のある波長にて見た場合の見え方で、ＣＣＤカメラにて撮影した画像をモニター２の画面を通して見た画像である。前記イエロー、マゼンタ、シアンのプロセス３色のインキおよびドットコード１４を形成する黒インキが見えない波長である近赤外線領域の約８５０ｎｍ以上で見た場合、２次元コード１８のみが見える。
【００２６】
図６は、図１の情報記録媒体１のドットコードを見る場合の概略図であり、絵柄１２上に設けられたドットコード１３、ドットコード１４は、タッチ式読み取り装置１７を情報記録媒体１に接触させて読み取る。タッチ式読取機１７はＣＣＤカメラおよびレンズ、ドットコードを見るための近赤外領域を発光する赤外線ＬＥＤが設けられており、タッチ式読み取り装置１７を情報記録媒体１に接触させたときに焦点が合うように設計されており且つドットコードを拡大する。タッチ式読み取り装置１７にてとらえたドットコード１３、ドットコード１４はモニター２を通して拡大されて映し出すことが可能で、例えばモニター２の画面上に複合体のドットコード１６の様に映し出される。実際にはモニター２にドットコード１３、ドットコード１４の画像を映す必要は無く、ドットコードの配列を読み取り、データ化すればよい。本発明におけるドットコードの方式は、一般的に使用されているドットコードであれば特に制限はない。
【００２７】
図７は、図１の情報記録媒体１の２次元コードを見る場合の概略図であり、絵柄１２上に設けられた２次元コードを形成するドットコード１３は、ＣＣＤカメラ２０、赤外線ＬＥＤ２１、可視光且つトフィルター２２から構成される読み取り装置から形成されている。この読み取り装置にてとらえた２次元コードを形成するドットコード１３はモニター２を通して映し出すことが可能で、例えばモニター２の画面上に２次元コード１８の様に映し出される。実際にはモニター２に２次元コード１８の画像を映す必要は無く、前記同様２次元コードの配列を読み取り、データ化すればよい。本発明における２次元コードの方式は、一般に使用されている２次元コードであれば特に問題はないが、ドットの集合体を一つのセルとして読み取るため、マトリックス式の２次元コードが望ましい。
【００２８】
図８は、複数枚の情報記録媒体１をまとめて読み取る場合の概略図であり、情報記録媒体１を複数枚同時に読み取るために赤外線ＬＥＤの集合体２３にて複数枚の情報記録媒体１をまとめて照射して、可視光且つトフィルター２２を通してＣＣＤカメラ２０で画像を取り込み、複数の２次元コードを読み取る。図８において複数枚の２次元コードをモニター２にて画像表示しているが、実際には２次元コードを読み取りデータおよびそれぞれの情報記録媒体１の位置関係をデータとして読み取ればよい。
【００２９】
図９は黒インキの分光特性を示すグラフで、黒インキ（プロセスカラースミインキ）３１、黒インキ（特製スミインキ）３２、黒インキ（混色スミインキ）３３の分光特性について表示している。ここで、黒インキ（プロセスカラースミインキ）３１は、通常使用するカラー印刷用プロセスカラーの墨インキを指しており、カーボンブラックを主成分としていることより、可視光から近赤外線域まで広い範囲で光の吸収がある。黒インキ（混色スミインキ）３３は、通常使用するカラー印刷用プロセスカラーのイエロー、マゼンタ、シアンを混合して作製した黒インキであり、いわゆるイエロー、マゼンタ、シアンのプロセスカラー３色を用いて印刷した絵柄１２において黒を表現した状態と同じ状態である。黒インキ（特製スミインキ）３２は、近赤外線域において高い透過率を持つインキの一つであり、且つ黒インキ（混色スミインキ）３３が近赤外線域において透過し始める波長よりも長い波長から透過率が立ち上がる特性を持つものである。この違いを利用して、絵柄印刷上にドットコード１４を設けることができる。
【００３０】
図１０は黒インキの分光特性と読み取り装置の読み取り波長の関係図を示したもので、前記の通り黒インキ（混色スミインキ）３３と黒インキ（特製スミインキ）３２の近赤外線域におけるそれらの透過率に大きな差ができることを示している。黒インキ（特製スミインキ）と黒インキ（混色スミインキ）の透過率の差が近赤外線および赤外線領域において相対的に大きい波長領域の赤外線ＬＥＤの照射波長３４を用いて絵柄の上のドットコードを絵柄に邪魔されずに読み取ることができる。また、２次元コード１８は図１０における黒インキ（特製スミインキ）と黒インキ（混色スミインキ）の透過率の差が近赤外線および赤外線領域において相対的に小さい波長領域の赤外線ＬＥＤの照射波長３５を照射することで情報記録媒体１の２次元コードを読み取ることができる。
【００３１】
本発明を、具体的な実施例を挙げて詳細に説明する。
【実施例１】
【００３２】
赤外線反射性基材として白色系のコートボール紙を用い、この上にオフセット印刷法により絵柄をイエロー、シアン、マゼンタのプロセスカラー３色のみで印刷し、その上に集合体として２次元コードが形成できるようにドットコードをプロセスカラースミインキにて印刷し、さらに２次元コードの逆版が形成されるようにドットコードを以下の特製スミインキを用いて印刷し、所定の大きさに切り、情報記録媒体を作製した。
［特製スミインキの組成］
スミインキ顔料ＢＳ１００（住友大阪セメント社製）                      １０部
スミインキ顔料ＢＳ２００（住友大阪セメント社製）                      １０部
オフセットメジウムインキＦＤ  ＯＬＰ多色ＯＰニスＴＳ−１ロ（東洋インキ製造社製）８０部
【００３３】
上記情報記録媒体に８１０ｎｍ付近にシャープな発光特性を持つＬＥＤおよび接写レンズとＣＣＤカメラが付いたタッチ式読み取り装置を用いて画像を撮ったところ、ドットコードが見え、このドットコードをデコーダーを通して解読したところ、情報が得られた。また、上記情報記録媒体を４枚並べて、９４０ｎｍ付近にシャープな発光特性を持つＬＥＤを照射し、８００ｎｍ以下の波長をカットするロングパスフィルターを通してＣＣＤカメラを用いて画像を撮ったところ、２次元コードが見え、この２次元コードにデコーダーを通して解読したところ、それぞれの情報記録媒体の情報および位置情報が得られた。
【符号の説明】
【００３４】
１  情報記録媒体
２  モニター
３  情報記録媒体の集まり
４  分光グラフ
１１  赤外線反射性基材
１２  絵柄
１３  ２次元コードを形成するドットコード
１４  ドットコード
１５  単体のドットコード
１６  複合体のドットコード
１７  タッチ式読み取り装置
１８  ２次元コード
２０  ＣＣＤカメラ
２１  赤外線ＬＥＤ
２２  可視光且つトフィルター
２３  赤外線ＬＥＤの集合体
３１  黒インキ（プロセスカラースミインキ）
３２  黒インキ（特製スミインキ）
３３  黒インキ（混色スミインキ）
３４  黒インキ（特製スミインキ）と黒インキ（混色スミインキ）の透過率の差が近赤外線および赤外線領域において相対的に大きい波長領域の赤外線ＬＥＤの照射波長
３５  黒インキ（特製スミインキ）と黒インキ（混色スミインキ）の透過率の差が近赤外線および赤外線領域において相対的に小さい波長領域の赤外線ＬＥＤの照射波長
【図１】
2010181931.tif 000003
【図２】
2010181931.tif 000004
【図３】
2010181931.tif 000005
【図４】
2010181931.tif 000006
【図５】
2010181931.tif 000007
【図６】
2010181931.tif 000008
【図７】
2010181931.tif 000009
【図８】
2010181931.tif 000010
【図９】
2010181931.tif 000011
【図１０】
2010181931.tif 000012